(57)【要約】      （修正有）【課題】  ＲＦＩＤタグとバーコードとを併用した情報配信システムおよびこれに用いられる専用デバイスとユーザデバイス、ならびに情報配信方法を提供する。【解決手段】  情報配信空間にて配布される専用デバイス１と情報配信空間にユーザ自ら持ち込むユーザデバイス２とを携帯して情報配信空間内を移動するユーザに対し、情報配信空間内でのユーザの位置に対応させた情報配信を、情報配信サーバ４および情報配信空間内に複数設置されたタグリーダ３により行うシステム。【選択図】  図１
2006215663.tif 000002
【特許請求の範囲】
【請求項１】
情報配信空間にて配布される専用デバイスと情報配信空間にユーザ自ら持ち込むユーザデバイスとを携帯して情報配信空間内を移動するユーザに対し、情報配信空間内でのユーザの位置に対応させた情報配信を、情報配信サーバおよび情報配信空間内に複数設置されたタグリーダにより行うシステムであって、
前記タグリーダは、
前記ユーザが携帯する前記専用デバイスが具備したＲＦＩＤタグに予め記録されている専用デバイスＩＤを当該ＲＦＩＤタグから読み取る手段、および
読み取った専用デバイスＩＤをタグリーダＩＤとともに前記情報配信サーバに送信する手段を備え、
前記情報配信サーバは、
前記ユーザが携帯する前記専用デバイスが前記ＲＦＩＤタグとともに具備したバーコードに予め記録され、同じ前記ユーザが携帯する前記ユーザデバイスが具備したカメラにより読み取られた専用デバイスＩＤと情報配信ＵＲＬとを、前記ユーザデバイスから受信する手段、
前記タグリーダから送信されてきた専用デバイスＩＤとタグリーダＩＤとを受信する手段、
タグリーダＩＤとリーダ位置データとを対応付けて予め記憶する手段、
受信したタグリーダＩＤに対応するリーダ位置データを前記記憶する手段から読み出す手段、および
読み出したリーダ位置データに対応した情報コンテンツページを、前記ユーザデバイスから受信した専用デバイスＩＤと前記タグリーダから受信した専用デバイスＩＤとが一致する場合に、前記情報配信ＵＲＬにて配信する手段
を備えたことを特徴とする情報配信システム。
【請求項２】
請求項１記載の情報配信システムで用いられる専用デバイスであって、
専用デバイス毎に割り当てられた専用デバイスＩＤを予め記録したＲＦＩＤタグ、および
この専用デバイスＩＤと同じ専用デバイスＩＤを情報配信ＵＲＬとともに予め記録したバーコード
を備えたことを特徴とする専用デバイス。
【請求項３】
請求項１記載の情報配信システムで用いられるユーザデバイスであって、
専用デバイスが具備したバーコードを撮影可能なカメラ、
撮影されたバーコード画像から、バーコードに予め記録されている専用デバイスＩＤと情報配信ＵＲＬとを読み取る手段、
読み取った専用デバイスＩＤと情報配信ＵＲＬとを情報配信サーバへ送信する手段、および
情報配信サーバから前記情報配信ＵＲＬにて配信された情報コンテンツページを表示する手段
を備えたことを特徴とするユーザデバイス。
【請求項４】
情報配信空間にて配布される専用デバイスと情報配信空間にユーザ自ら持ち込むユーザデバイスとを携帯して情報配信空間内を移動するユーザに対し、情報配信空間内でのユーザの位置に対応させた情報配信を、情報配信サーバおよび情報配信空間内に複数設置されたタグリーダにより行う方法であって、
前記タグリーダにより、
前記ユーザが携帯する前記専用デバイスが具備したＲＦＩＤタグに予め記録されている専用デバイスＩＤを当該ＲＦＩＤタグから読み取り、
読み取った専用デバイスＩＤをタグリーダＩＤとともに前記情報配信サーバに送信し、
前記情報配信サーバにより、
前記ユーザが携帯する前記専用デバイスが前記ＲＦＩＤタグとともに具備したバーコードに予め記録され、同じ前記ユーザが携帯する前記ユーザデバイスが具備したカメラにより読み取られた専用デバイスＩＤと情報配信ＵＲＬとを、当該ユーザデバイスから受信し、
前記タグリーダから送信されてきた専用デバイスＩＤとタグリーダＩＤとを受信し、
受信したタグリーダＩＤに対応するリーダ位置データをタグリーダＩＤとリーダ位置データとを対応付けて予め格納したデータベースから読み出し、
読み出したリーダ位置データに対応した情報コンテンツページを、前記ユーザデバイスから受信した専用デバイスＩＤと前記タグリーダから受信した専用デバイスＩＤとが一致する場合に、前記情報配信ＵＲＬにて配信する
ことを特徴とする情報配信方法。
【発明の詳細な説明】
【技術分野】
【０００１】
本願発明は、ユーザに対して情報配信を行うシステムに関するものである。
【背景技術】
【０００２】
近年、ＲＦＩＤ(Radio Frequency Identification)タグの実用化に伴い、タグリーダによるＲＦＩＤタグの検出に従ってユーザに適切な情報を配信するといった、ＲＦＩＤタグ利用の様々なサービスが提案されている(たとえば特許文献１、２参照)。
【０００３】
一方、従来から用いられているバーコードに関しても、カメラ付き携帯電話の普及に伴い、携帯電話が具備したデジタルカメラによるバーコードの読み取りに従ってユーザに適切な情報を配信するといった、バーコード利用の様々なサービスが提案されている（たとえば特許文献３、４、５参照）。
【特許文献１】特開２００３−２４４０５９号公報
【特許文献２】特開２００３−９１６７８号公報
【特許文献３】特開２００４−２３５７９８号公報
【特許文献４】特開２００３−１９８６７４号公報
【特許文献５】特開２００３−１３９５５７号公報
【発明の開示】
【発明が解決しようとする課題】
【０００４】
本願発明は、これらＲＦＩＤタグとバーコードとを併用した全く新しい情報配信サービスを実現することのできる情報配信システムおよびこれに用いられる専用デバイスとユーザデバイス、ならびに情報配信方法を提供することを課題としている。
【課題を解決するための手段】
【０００５】
本願発明は、上記の課題を解決するものとして、第１には、情報配信空間にて配布される専用デバイスと情報配信空間にユーザ自ら持ち込むユーザデバイスとを携帯して情報配信空間内を移動するユーザに対し、情報配信空間内でのユーザの位置に対応させた情報配信を、情報配信サーバおよび情報配信空間内に複数設置されたタグリーダにより行うシステムであって、前記タグリーダは、前記ユーザが携帯する前記専用デバイスが具備したＲＦＩＤタグに予め記録されている専用デバイスＩＤを当該ＲＦＩＤタグから読み取る手段、および読み取った専用デバイスＩＤをタグリーダＩＤとともに前記情報配信サーバに送信する手段を備え、前記情報配信サーバは、前記ユーザが携帯する前記専用デバイスが前記ＲＦＩＤタグとともに具備したバーコードに予め記録され、同じ前記ユーザが携帯する前記ユーザデバイスが具備したカメラにより読み取られた専用デバイスＩＤと情報配信ＵＲＬとを、前記ユーザデバイスから受信する手段、前記タグリーダから送信されてきた専用デバイスＩＤとタグリーダＩＤとを受信する手段、タグリーダＩＤとリーダ位置データとを対応付けて予め記憶する手段、受信したタグリーダＩＤに対応するリーダ位置データを前記記憶する手段から読み出す手段、および読み出したリーダ位置データに対応した情報コンテンツページを、前記ユーザデバイスから受信した専用デバイスＩＤと前記タグリーダから受信した専用デバイスＩＤとが一致する場合に、前記情報配信ＵＲＬにて配信する手段を備えたことを特徴とする。
【０００６】
また、本願発明は、第２には、前記情報配信システムで用いられる専用デバイスであって、専用デバイス毎に割り当てられた専用デバイスＩＤを予め記録したＲＦＩＤタグ、およびこの専用デバイスＩＤと同じ専用デバイスＩＤを情報配信ＵＲＬとともに予め記録し
たバーコードを備えたことを特徴とする。
【０００７】
また、本願発明は、第３には、前記情報配信システムで用いられるユーザデバイスであって、専用デバイスが具備したバーコードを撮影可能なカメラ、撮影されたバーコード画像から、バーコードに予め記録されている専用デバイスＩＤと情報配信ＵＲＬとを読み取る手段、読み取った専用デバイスＩＤと情報配信ＵＲＬとを情報配信サーバへ送信する手段、および情報配信サーバから前記情報配信ＵＲＬにて配信された情報コンテンツページを表示する手段を備えたことを特徴とする。
【０００８】
またさらに、本願発明は、第４には、情報配信空間にて配布される専用デバイスと情報配信空間にユーザ自ら持ち込むユーザデバイスとを携帯して情報配信空間内を移動するユーザに対し、情報配信空間内でのユーザの位置に対応させた情報配信を、情報配信サーバおよび情報配信空間内に複数設置されたタグリーダにより行う方法であって、前記タグリーダにより、前記ユーザが携帯する前記専用デバイスが具備したＲＦＩＤタグに予め記録されている専用デバイスＩＤを当該ＲＦＩＤタグから読み取り、読み取った専用デバイスＩＤをタグリーダＩＤとともに前記情報配信サーバに送信し、前記情報配信サーバにより、前記ユーザが携帯する前記専用デバイス１が前記ＲＦＩＤタグとともに具備したバーコードに予め記録され、同じ前記ユーザが携帯する前記ユーザデバイスが具備したカメラにより読み取られた専用デバイスＩＤと情報配信ＵＲＬとを、当該ユーザデバイスから受信し、前記タグリーダから送信されてきた専用デバイスＩＤとタグリーダＩＤとを受信し、受信したタグリーダＩＤに対応するリーダ位置データをタグリーダＩＤとリーダ位置データとを対応付けて予め格納したデータベースから読み出し、読み出したリーダ位置データに対応した情報コンテンツページを、前記ユーザデバイスから受信した専用デバイスＩＤと前記タグリーダから受信した専用デバイスＩＤとが一致する場合に、前記情報配信ＵＲＬにて配信することを特徴とする。
【発明の効果】
【０００９】
上記第１〜第４の発明によれば、たとえば図１に例示したように、情報配信空間（情報配信エリアとも呼べる）にて配布される専用デバイス１と、情報配信空間にユーザ自ら持ち込むユーザデバイス２とを携帯して情報配信空間内を移動する各ユーザＡ，Ｂ・・・に対し、情報配信空間内に複数設置されたタグリーダ３により逐次読み取られる専用デバイス１のＲＦＩＤタグ１１と、ユーザデバイス２のカメラ２１により撮影され読み取られる専用デバイス１のバーコード１２とを利用して、情報配信空間内での各ユーザＡ，Ｂ・・・の位置に対応させた情報を含む情報コンテンツページを情報配信サーバ４により配信するという、従来にはない全く新しい情報配信サービスを実現することができる。
【００１０】
ここで、専用デバイス１は、入場券、入館証、社員証、スタッフパス、ビジターパスなどといった情報配信空間内でのみ有効であり使用されるものに少なくともＲＦＩＤタグ１１およびバーコード１２を設けてなるデバイス、端的に言うとＲＦＩＤタグ１１およびバーコード１２を予め具備させた情報配信空間専用のデバイスである。
【００１１】
ユーザデバイス２は、少なくともカメラ２１を具備した（内蔵／外付けの形態は問わない）汎用的な携帯電話やＰＤＡなどのデバイス、端的に言うとカメラ付き携帯デバイスである。
【００１２】
このような本願発明を用いることで、たとえば、展示会、博覧会、学会などの様々な屋内外のイベント会場において、あるいは企業、研究所、各種施設などの様々な建物において、入館者、入場者、参加者などといったユーザにたとえば首に掛けて携帯可能なカード型のパス（専用デバイス１に相当）を配布しておき、ユーザは、会場・建物内を移動中に上記情報配信サービスを受けたいと思っとき、自分のカメラ付き携帯電話（ユーザデバイ
ス２に相当）で先に配られたパスに付されているバーコード１２を撮影するだけで、自動的にカメラ付き携帯電話が撮影されたバーコード画像から専用デバイスＩＤと情報配信ＵＲＬ（Uniform Resource Locator）を解読して、それらを情報配信サーバ４に送信する。その一方で、会場・建物内の適宜位置に複数配設されている各タグリーダ３が、それぞれの通信範囲にユーザが入ったときに、そのパスに付されているＲＦＩＤタグ１１から専用デバイスＩＤを読み取り、それをタグリーダＩＤとともに情報配信サーバ４に送信する。そして、情報配信サーバ４が、パスからの専用デバイスＩＤおよび情報配信ＵＲＬと、タグリーダ３からの専用デバイスＩＤおよびタグリーダＩＤとに基づいて、上記のとおりに情報コンテンツページを情報配信ＵＲＬにて配信し、これを携帯電話が受けて表示する。これにより、ユーザは、普段から使い慣れている携帯電話でパスのバーコードを一度撮影するだけで、後は単に会場・建物内を移動していれば自動的にパスのＲＦＩＤタグと会場・建物内のタグリーダとが通信してＩＤと現在位置を把握し、それに適した情報コンテンツページを取得し閲覧できることとなる。
【００１３】
なお、位置に対応した情報配信については、たとえば図２に例示したように、ＲＦＩＤタグ１１を読み取ったタグリーダ３のリーダ位置データ、つまりタグリーダ３の情報配信空間内での位置またはタグ−リーダ間通信範囲（検出範囲とも呼べる）を示すデータが、読み取られたＲＦＩＤタグ１１を具備した専用デバイス１を携帯するユーザの情報配信空間内での大まかな位置を表すことになるので、たとえばその位置の近傍または範囲内にある展示物や広告物などの各種オブジェクトに関する情報を掲載した情報コンテンツページを配信すれば、ユーザに対してその情報配信空間内での位置に対応した情報配信が行われることになる。
【発明を実施するための最良の形態】
【００１４】
以下、本願発明の一実施形態について、図１〜図４を適宜参照しながら説明する。
【００１５】
本実施形態では、図１の模式図に示したように、ある建物内に展示物が存在し、環境側システムを構成する複数のタグリーダ３および情報配信サーバ４が予め用意された環境において、ユーザが自己のユーザデバイス２を建物内に持ち込むとともに、そのユーザにその建物でのみ有効な専用デバイス１を配布し（無償・有償、貸出・販売などの配布形態は問わない）、ユーザがこれらを携帯して建物内を移動しているときに、ユーザの位置に対応した展示物に関する情報コンテンツページを閲覧可能にする情報配信サービスを行う。
【００１６】
＜専用デバイス１＞
まず、ユーザに配布される専用デバイス１は、図３の機能ブロック図に示したようにＲＦＩＤタグ１１およびバーコード１２を少なくとも有する小型且つ携帯可能なデバイスであり、たとえば首に掛けて携帯できるカード型入館証にＲＦＩＤタグ１１を埋込み、且つその表面にバーコード１２を視認可能に付したものなどを考慮できる。
【００１７】
ＲＦＩＤタグ１１には、各専用デバイス１に割り当てられた識別番号等の専用デバイスＩＤが予め記録されている。
【００１８】
バーコード１２には、この専用デバイスＩＤと同じ専用デバイスＩＤとともに、情報コンテンツページを配信するＵＲＬが予め記録されている。バーコード１２としては、たとえば既存の横方向にのみ情報を持つ一次元コードや縦横方向に情報を持つＱＲコード等の二次元コードを考慮できるが、専用デバイスＩＤデータと情報配信ＵＲＬデータとを表すことができるものであれば特に限定されない。このバーコード１２は、入館証等に簡単に且つ安価に印字やシール等によって付加でき、また書換えも容易である。
【００１９】
＜ユーザデバイス２＞
ユーザが持ち込むユーザデバイス２は、図３の機能ブロック図に示したように、専用デバイス１が具備したバーコード１２を撮影可能なカメラ２１、撮影されたバーコード画像から専用デバイスＩＤと情報配信ＵＲＬとを読み取る読取部２２、読み取った専用デバイスＩＤと情報配信ＵＲＬとを情報配信サーバ４へ送信するサーバ通信部２３、および情報配信サーバ４から前記情報配信ＵＲＬにて配信された情報コンテンツページを表示する表示部２４を少なくとも有する小型且つ携帯可能なデバイスであり、カメラ付きの携帯電話、ＰＤＡ、ノートパソコンなどを考慮できる。
【００２０】
このユーザデバイス２は、それに格納されたデバイス用プログラムによって、ユーザによるカメラ撮影操作入力時に、カメラ２１による撮影処理、読取部２２による読取処理、サーバ通信部２３による送信処理、情報配信サーバ４により情報コンテンツページが配信された際のディスプレイ等の表示部２４による表示処理という一連の処理を実行するように構築できる。
【００２１】
情報コンテンツページの表示処理については、たとえば、情報配信サーバ４へ専用デバイスＩＤおよび情報配信ＵＲＬを送信する際にＷｅｂブラウザを立ち上げて待機状態とし、情報配信サーバ４からの配信を受けて自動的にブラウザ表示させる。
【００２２】
情報配信サーバ４との間の通信は、たとえば、無線ＬＡＮや携帯電話通信網等のワイヤレスネットワークを介したインターネット通信を用いる。
【００２３】
なお、本願発明においてこのユーザデバイス２と上記専用デバイス１とを併用することとした理由は、専用デバイス１をそれ自身で情報コンテンツページを閲覧可能となるように複雑機能化させたものにすると、ユーザは使い慣れていないデバイスをその場限りの情報配信サービスの享受のために操作しなければならなくなり、これはユーザにとって苦痛であると言え、またサービス普及の阻害要因の一つであるとも考えられ、これを解消すべく、その場で渡される専用デバイス１については何等操作する必要がないようにし、普段から使い慣れている携帯電話等のユーザデバイス２の操作だけで、情報配信サービスを受けられるようにするためである。これにより、初めてのユーザも抵抗感少なく情報配信サービスを受けることができる。
【００２４】
＜タグリーダ３＞
次に、環境側システムにおけるタグリーダ３は、図３の機能ブロック図に示したように、専用デバイス１が具備したＲＦＩＤタグ１１に予め記録されている専用デバイスＩＤを当該ＲＦＩＤタグ１１から読み取るリーダ部３１、各タグリーダ３に割り当てられた識別番号等のタグリーダＩＤを予め記憶したＩＤ記憶部３２、およびリーダ部３１により読み取った専用デバイスＩＤをＩＤ記憶部３２から読み出したタグリーダＩＤとともに情報配信サーバ４に送信するサーバ通信部３３を少なくとも有するリーダ装置またはリーダライタ装置を考慮できる。
【００２５】
このタグリーダ３は、それに格納されたリーダ用プログラムによって、専用デバイス１のＲＦＩＤタグ１１が通信範囲に入ったときに、リーダ部３１による読取処理、ＩＤ記憶部３２からの読出処理、サーバ通信部３３による送信処理という一連の処理を実行するように構築できる。
【００２６】
情報配信サーバ４との間の通信は、複数のタグリーダ３が通信するのでワイヤレスまたはワイヤードのネットワーク通信を用いる。
【００２７】
＜情報配信サーバ４＞
環境側システムにおける情報配信サーバ４は、図３の機能ブロック図に示したように、
ユーザデバイス２から送信されてきた専用デバイスＩＤと情報配信ＵＲＬとを受信するユーザ通信部４１、タグリーダ３から送信されてきた専用デバイスＩＤとタグリーダＩＤとを受信するリーダ通信部４２、タグリーダＩＤとリーダ位置データとを対応付けて予め記憶するデータベース４３、受信したタグリーダＩＤに対応するリーダ位置データをデータベース４３から読み出す位置読出部４４、および読み出したリーダ位置データに対応した情報コンテンツページを、ユーザデバイス２から受信した専用デバイスＩＤとタグリーダ３から受信した専用デバイスＩＤとが一致する場合に、情報配信ＵＲＬにて配信するページ配信部４５を少なくとも有するコンピュータを考慮できる。
【００２８】
この情報配信サーバ４は、それに格納されたサーバ用プログラムによって、ユーザ通信部４１による受信処理、リーダ通信部４２による受信処理、位置読出部４４によるデータベース４３からの読出処理、ページ配信部４５による配信処理という一連の処理を実行するように構築できる。
【００２９】
データベース４４に格納されたリーダ位置データは、各タグリーダ３の情報配信空間内での位置またはタグ−リーダ間通信範囲（図２参照）を示すデータであり、各タグリーダ３に割り当てられたタグリーダＩＤとともに互いに対応させて格納されている。
【００３０】
情報コンテンツページについては、予めリーダ位置データに対応させてデータベース化させたり、配信の度に新たな情報を盛り込んで作成したりする形態を考慮できる。
＜情報配信サービスフロー＞
ここで、上記のとおりの専用デバイス１およびユーザデバイス２ならびにタグリーダ３および情報配信サーバ４を用いた情報配信サービスの各処理フローについて、図４のフローチャートを参照しながら説明する。
【００３１】
＜ステップＳ１０１＞
まず、ユーザデバイス２にて、専用デバイス１のバーコード１２を読み取る。より具体的には、ユーザの操作入力時にユーザデバイス２のカメラ２１により専用デバイス１のバーコード１２を撮影し、内蔵プログラムによりバーコード画像から専用デバイスＩＤと情報配信ＵＲＬとを解読する。
【００３２】
＜ステップＳ１０２＞
続いて、ユーザデバイス２から、解読した専用デバイスＩＤと情報配信ＵＲＬとを情報配信サーバ４へ送信する。
【００３３】
＜ステップＳ１０３＞
情報配信サーバ４では、このユーザデバイス２からの専用デバイスＩＤと情報配信ＵＲＬとを受信する。
【００３４】
＜ステップＳ１０４＞
上記処理の一方で、タグリーダ３にて、専用デバイス１のＲＦＩＤタグ１１を読み取る。より具体的には、内蔵プログラムにより、タグリーダ３の通信範囲に入ったＲＦＩＤタグ１１から専用デバイスＩＤを読み取る。
【００３５】
＜ステップＳ１０５＞
続いて、タグリーダ３から、読み取った専用デバイスＩＤをタグリーダＩＤとともに情報配信サーバ４へ送信する。
【００３６】
＜ステップＳ１０６＞
情報配信サーバ４では、このタグリーダ３からの専用デバイスＩＤとタグリーダＩＤとを受信する。
【００３７】
＜ステップＳ１０７〜Ｓ１１０＞
そして、情報配信サーバ４は、タグリーダ３からのタグリーダＩＤに対応するリーダ位置データをデータベース４３から読み出し（Ｓ１０７）、その一方で、別途ユーザデバイス２から受信している上記専用デバイスＩＤとタグリーダ３から受信している専用デバイスＩＤとが一致しているかを判断し（Ｓ１０８）、一致している場合にはリーダ位置データに対応する情報コンテンツページを情報配信ＵＲＬにて配信する（Ｓ１０９）。一致していない場合には配信しない（Ｓ１０８）。
【００３８】
なお、ここでのリーダ位置データ読出処理（Ｓ１０７）と一致判断処理（Ｓ１０８）の順番はいずれが先でもよく、図３では前者が先に実行されるものとしているが、その逆に一致判断処理により一致判断された場合にのみリーダ位置データを読み出す形態も可能である。
【００３９】
＜ステップＳ１１１〜Ｓ１１２＞
ところで、タグリーダ３によるＲＦＩＤタグ１１の読取は、その通信範囲にＲＦＩＤタグ１１が入っていないときには当然行われず、また実際には通信範囲に入っていたとしても何等かの原因で読み取れない場合も生じ得ると考えられる。
【００４０】
そこで、情報配信サーバ４では、たとえば、タグリーダ３から受信した専用デバイスＩＤを、受信後しばらくの間キャッシュメモリ等の内部記憶装置に格納して（Ｓ１１１）、ユーザデバイス２からのＩＤ＋ＵＲＬの送信を待つ状態としておき、ユーザデバイス２からＩＤ＋ＵＲＬの送信があった場合に、その受信前の最後の専用デバイスＩＤ、つまり最後にタグリーダ３により検出された専用デバイスＩＤを内部記憶部から読み出して（Ｓ１１２）、これとの一致を判定する（Ｓ１０８）。
【００４１】
これにより、タグリーダ３がしばらくの期間の間専用デバイス１からのＩＤ信号を受信できなくとも、その間にユーザデバイス２からの問い合わせが来たら、最後にキャッシュされていたタグリーダ３からのデータを基に、検出できた最後のユーザの位置に関する情報コンテンツページを送信することが可能になる。
【００４２】
＜ステップＳ１１１の別形態＞
また、たとえば、上記内部記憶装置に、専用デバイスＩＤとともに、それを送信してきたタグリーダ３のタグリーダＩＤをも互いに対応付けて格納させておくことで（Ｓ１１１）、同じ専用デバイスＩＤが異なるタグリーダＩＤのタグリーダ３から送られてきた場合には、ユーザが最新のデータを送信してきたタグリーダ３の位置へその直前のデータを送信してきたタグリーダ３の位置から移動したものと判断して、自動的にその新しい位置に対応する情報配信を行うことも可能になる。
【００４３】
以上により、ユーザは、使い慣れている携帯電話等のユーザデバイス２の操作だけで、建物内を移動しながら自分が今居る位置に対応した情報を手軽に取得できるようになり、情報配信者側は、システム構築した後は専用デバイス１をユーザに配布するだけで、ユーザ位置をトラッキングしながら適宜適切な情報配信サービスを提供できる。
【図面の簡単な説明】
【００４４】
【図１】本願発明の一実施形態について説明するための模式図。
【図２】本願発明の一実施形態について説明するための別の模式図。
【図３】本願発明の一実施形態について説明するための機能ブロック図。
【図４】本願発明の一実施形態について説明するためのフローチャート。
【符号の説明】
【００４５】
１  専用デバイス
１１  ＲＦＩＤタグ
１２  バーコード
２  ユーザデバイス
２１  カメラ
２２  読取部
２３  サーバ通信部
２４  表示部
３  タグリーダ
３１  リーダ部
３２  ＩＤ記憶部
３３  サーバ通信部
４  情報配信サーバ
４１  ユーザ通信部
４２  リーダ通信部
４３  データベース
４４  位置読出部
４５  ページ配信部
【図１】
2006215663.tif 000003
【図２】
2006215663.tif 000004
【図３】
2006215663.tif 000005
【図４】
2006215663.tif 000006